(57)【要約】      （修正有）【課題】接触層が足全体を包み込む裏返し式フットマスクを提供する。【解決手段】裏返し式フットマスク１は、防水層２と、接触層３と、２つの第一引裂線４と、２つの第二引裂線５と、を備える。接触層の表面の２つの第一引裂線が引き裂かれ、次いで第二引裂線が引き裂かれることで２つの縛り部材が形成され、最後に接触層の挟持部３２を利用して裏返され、防水層が外側になり、接触層が内側になり、同時に収容空間が形成される。使用者の足が収容空間内に入れられ、最後に２つの縛り部材が相互に結ばれることで、接触層が足全体を包み込む。【選択図】図２
0003227073.tif 000002
【実用新案登録請求の範囲】
【請求項１】
防水層と、
辺縁にホットメルトワイヤーが設けられることで前記防水層と相互に結合され、一側縁に挟持部が更に形成される接触層と、
前記接触層に設けられる２つの第一引裂線及び２つの第二引裂線と、を備え、
前記２つの第一引裂線及び前記２つの第二引裂線を引き裂くことで、２つの縛り部材を形成でき、
前記挟持部を掴んでフットマスクを裏返すことで、前記防水層が外側になり、前記接触層が内側になり、同時に収容空間が形成され、使用者の足を前記収容空間内に入れることができ、
前記２つの縛り部材を相互に結ぶことで、前記接触層で使用者の足全体を包み込むことができることを特徴とする、
裏返し式フットマスク。
【請求項２】
第一引裂線の両端が接触層のホットメルトワイヤーまで延伸されていることを特徴とする請求項１に記載の裏返し式フットマスク。
【請求項３】
第二引裂線は第一引裂線から延出されていることを特徴とする請求項１に記載の裏返し式フットマスク。
【考案の詳細な説明】
【技術分野】
【０００１】
本考案は、裏返し式フットマスクに関し、より詳しくは、裏返すことで足を覆うフットマスク構造に関する。
【背景技術】
【０００２】
現代人は皮膚の保養をより重視するようになっており、フェイスマスクにより顔を保養する以外にも、近年ではいわゆるフットマスクというものも使用されるようになっている。これは主に靴型の袋体が覆設されて足全体を包み込み、内部に設けられた保養成分を足に吸収させることにより足を潤して保養する目的を達成させている。
【考案の概要】
【考案が解決しようとする課題】
【０００３】
しかしながら、フットマスクのサイズは固定である一方、足のサイズは使用者毎に異なるため、足が大きい使用者にとってはフットマスクを足に履くことが難しく、足が小さい使用者にとってはフットマスクが大きすぎて足全体を完全に包み込むことができなかった。また、一般的なフットマスクは接触層が内部にあるため、サリチル酸等の液状の保養液をフットマスク内部の収容空間に注ぎ込んだ後にフットマスクを密封する工程が必要となり、工程が増加した。
【０００４】
そこで、本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、裏返し式フットマスクを提供することにある。
【課題を解決するための手段】
【０００６】
上記目的を達成するための主たる考案は、防水層と、辺縁にホットメルトワイヤーが設けられることで防水層と相互に結合され、一側縁に挟持部が更に形成される接触層と、接触層に設けられる２つの第一引裂線及び第二引裂線と、を備え、主にまず接触層の表面の２つの第一引裂線が引き裂かれ、次いで第二引裂線が引き裂かれることで２つの縛り部材が形成され、最後に接触層の挟持部を利用してフットマスクが裏返され、防水層が外側になり、接触層が内側になり、同時に収容空間が形成され、使用者の足が前記収容空間内に入れられ、最後に２つの縛り部材が相互に結ばれることで、接触層が足全体を包み込むという目的が達成されることを特徴とする裏返し式フットマスクである。
【図面の簡単な説明】
【０００７】
【図１】本考案に係る裏返し式フットマスクの例を示す外観斜視図である。
【図２】本考案に係る裏返し式フットマスクの例を示す分解図である。
【図３】本考案の好ましい実施形態による裏返し式フットマスクを示す概略図（一）である。
【図４】本考案の好ましい実施形態による裏返し式フットマスクを示す概略図（二）である。
【図５】本考案の好ましい実施形態による裏返し式フットマスクを示す概略図（三）である。
【図６】本考案の好ましい実施形態による裏返し式フットマスクを示す概略図（四）である。
【図７】本考案の好ましい実施形態による裏返し式フットマスクを示す概略図（五）である。
【図８】本考案の好ましい実施形態による裏返し式フットマスクを示す概略図（六）である。
【考案を実施するための形態】
【０００８】
以下、本開示の実施形態について図面を用いて説明する。なお、本開示は、下記の実施形態に何ら限定されることはなく、本開示の技術的範囲に属する限り種々の形態を採りうる。
【０００９】
本明細書及び図面の記載により、少なくとも、以下の事項が明らかとなる。
【００１０】
図１乃至図８はそれぞれ本考案の外観斜視図、分解図、及び好ましい実施形態による概略図である。
【００１１】
図から分かるように、本考案に係る裏返し式フットマスク１の主な部材は以下のとおりである。
防水層２と、辺縁にホットメルトワイヤー３１が設けられ、これにより防水層２と相互に結合され、一側縁に挟持部３２が更に形成される接触層３と、接触層３の表面の対応する位置に設けられる２つの第一引裂線４と、接触層３の表面の対応する位置に設けられる２つの第二引裂線５である。第一引裂線４の両端は接触層３のホットメルトワイヤー３１まで延伸されている。第二引裂線５は第一引裂線４から延出されている。
【００１２】
本考案に係る裏返し式フットマスク１は、使用前には、主に接触層３の辺縁に設けられるホットメルトワイヤー３１により接触層３と防水層２とが相互に結合されて一体化し、閉鎖状態となっている。この際、防水層２は内側に位置され、接触層３は外側に位置する。
使用時には、まず接触層３の第一引裂線４が引き裂かれて裏返し式フットマスク１に開口部４０が形成され、次いで第二引裂線５が引き裂かれて開口部４０の対応する両側に縛り部材５１が各々形成される。手を開口部４０から裏返し式フットマスク１内に入れて接触層３の一側縁の挟持部３２を掴み、裏返し式フットマスク１全体を裏返すと収容空間１０が形成され、使用者が足を前記収容空間１０内に入れることができるようになる。最後に、２つの縛り部材５１を相互に結べば裏返し式フットマスク１が足全体を完全に包み込むようになる。
【００１３】
上述したように、裏返し式フットマスク１全体が裏返されると、防水層２が外側に位置し、接触層３が内側に位置するため、接触層３が使用者の足の表面の皮膚に接触する。防水層２が外側に位置するため、使用者の歩行時に外界の異物や汚れが接触層３に侵入しなくなる。
【００１４】
また、図から分かるように、第一引裂線４の両端が接触層３のホットメルトワイヤー３１まで延伸され、裏返し式フットマスク１全体を前端から後端まで横切るため、形成される開口部４０が相当大きくなり、使用者毎に足のサイズに違いがあっても、誰の足でも収容空間１０内に入れやすくなる。また、２つの縛り部材５１を相互に結ぶ程度によって収容空間１０の大きさを調整可能である。２つの縛り部材５１が相互に結ばれると、使用者の歩行時に裏返し式フットマスク１が足から外れなくなる。
【００１５】
また、裏返し式フットマスク１全体が裏返されると、本来接触層３の辺縁に位置しているホットメルトワイヤー３１が内側に位置するようになり、前記ホットメルトワイヤー３１が裏返される際に収容空間１０が高速に形成される。ホットメルトワイヤー３１が設けられることにより、裏返し式フットマスク１全体の強度が強化され、使用者の歩行時に裏返し式フットマスク１が破損しなくなり、または防水層２が接触層３から分離しなくなる。
【００１６】
本考案の製造時には、フットマスク１の接触層３が予め翻されて外側に位置するため、直接外部からまたは包装袋内でサリチル酸等の液状の保養液に浸潤される。折り重ねられたフットマスク１の接触層３に液状の保養液が平均的に浸潤されるようになり、従来の技術のような収容空間１０に予め保養液を注入する工程が不要となる。
【００１７】
以上を総合すると、従来のフットマスクには数々の欠点が存在するのに対し、本考案に係る裏返し式フットマスク１は、防水層２、接触層３、第一引裂線４、及び第二引裂線５の特殊な設計により、様々な使用者の足のサイズの違いに適合可能になるのみならず、第二引裂線５が引き裂かれた後に形成される２つの縛り部材５１により、裏返し式フットマスク１の収容空間１０の大きさが使用者に最適な大きさに調整され、裏返し式フットマスク１が足から外れなくなる。
【００１８】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００１９】
１  裏返し式フットマスク
１０  収容空間
２  防水層
３  接触層
３１  ホットメルトワイヤー
３２  挟持部
４  第一引裂線
４０  開口部
５  第二引裂線
５１  縛り部材
６  足
【図１】
0003227073.tif 000003
【図２】
0003227073.tif 000004
【図３】
0003227073.tif 000005
【図４】
0003227073.tif 000006
【図５】
0003227073.tif 000007
【図６】
0003227073.tif 000008
【図７】
0003227073.tif 000009
【図８】
0003227073.tif 000010